Podtech/llm-jp-corpus-v4-ja_patent huggingface dataset:
(57)【要約】      （修正有）【課題】雨天の自動車乗降時に濡れた傘を収納し、衣服やシートが濡れる問題を解決できる傘収納ポケットを提供する。【解決手段】自動車ドアの端部に、傘の出し入れ口を内部よりやや狭くした傘収納ポケットおよびポケットカバーＤを一体的に設けることにより、乗降時の傘の取り扱いをスムーズにすると同時に、衣服やシートの濡れを防止するポケットカバーに切れ込みＣを設けることで片手で傘を出し入れできる。【選択図】図１
0003213641.tif 000002
【実用新案登録請求の範囲】
【請求項１】
自動車のドアの室内側に濡れた傘の収納ポケットを設け、雨天乗降時の傘の取り扱いを容易にし、衣服や座席シートの濡れを防止する傘収納ポケット。
【考案の詳細な説明】
【技術分野】
【０００１】  本考案は、自動車のドアに一体的に組み込まれる濡れた傘の収納ポケットに関するものである。
【背景技術】
【０００２】  雨天の自動車乗降時に濡れた傘の適切な置き場所がなかった。
【先行技術文献】
【特許文献】
【０００３】
【特許文献１】
【特許文献２】
【非特許文献】
【０００４】
【非特許文献１】
【非特許文献２】
【考案の概要】
【考案が解決しようとする課題】
【０００５】  雨天における自動車の乗降時に濡れた傘のやり場がないため、人の動作も無駄が多く、衣服や座席シートが濡れるという問題があった。自動車ドアの室内側に傘の収納ポケットを設けることにより、スムーズな動作の実現と、不必要な濡れを防止しようというものである。
【課題を解決するための手段】
【０００６】  本考案では、自動車ドアの端部室内側に縦方向の傘収納ポケットを設ける。ポケットは傘を固定するとともに、室内側に対して傘の濡れた面が直接人の衣服や座席シートに触れないようにするガードの役目も果たす。端部に設け、縦にすることで傘の柄の部分が運転手の視界を遮らないという利点も持ち、ガード（図にはポケットカバーと記入）の一部に切れ込みを作ることで、片手での傘の出し入れを可能にする。
【考案の効果】
【０００７】  本考案の傘収納ポケットを自動車ドアに設けることにより、雨天乗降時の傘の扱いが格段にスムーズになること、衣服や座席シートの濡れを防止することの他に、片手で傘を操作しながらもう一方の手でドアを開けられることから、乗降時の雨濡れも最小限におさえられる。
【図面の簡単な説明】
【０００８】
【図１】傘収納ポケットの付いた自動車ドア端部の立体図
【図２】ポケット部分の一部断面形状
【考案を実施するための形態】
【０００９】ポケットは耐水性の素材で作り、形状自体は単純だが、内装デザインのクオリティを維持するためにドア全体の内装と一体的に作られることがが望ましい。
【実施例】
【００１０】以下、添付図面に従って実施例を説明する。Ｌが傘を収納するポケットであり、Ｄのポケットカバーによって傘を固定すると同時に室内側の乗員の衣服が濡れないようにガードする。Ｃのようにポケットカバーに切れ込みを設けることで、片手で傘を出し入れできる。Ｋの出し入れ口はＬのポケット内部よりやや狭くすることで、傘を固定する。ポケットをドア端部に設けることで、収納動作の利便性の確保と運転手の視界も確保する。
【産業上の利用可能性】
【００１１】自動車の内装に新たに便利な機能を追加できる。
【符号の説明】
【００１２】Ａ：収納された傘
Ｂ：ポケットカバーの上端は運転手の視界を妨げない高さに抑える
Ｃ：傘の出し入れが片手で簡単にできるよう、ポケットカバーには切り込み部分を設ける
Ｄ：ポケットカバー
Ｅ：水受け
Ｆ：自動車ドア外部金属部（本考案に含まれない既存部分）
Ｇ：パッキン（本考案には含まれない既存部分）
Ｈ：自動車ドア外面（本考案には含まれない既存部分）
Ｉ：ロック（本考案には含まれない既存部分）
Ｊ：内装パネル面
Ｋ：傘差し込み口（幅４〜５センチ）
Ｌ：ポケット
【図１】
0003213641.tif 000003
【図２】
0003213641.tif 000004
(57)【要約】【課題】  本考案は、空調装置の取り付けられた害虫駆除時に使用する防護服において、空調装置等への害虫の侵入を防ぎ、安全性を高めることを目的とする。【解決手段】  本考案の防護服は、２層構造からなる防護服の１層目に防護服内の温度調整を目的とした空調装置を設け、２層目に蜂等の害虫駆除作業中に前記空調装置から前記害虫の侵入を防ぐためのハードメッシュ６を設け、この２層目の構造は前記１層目の点検作業を可能にするためファスナーにて開閉を可能にしたことを特徴とするものである。【選択図】図３
0003213642.tif 000002
【実用新案登録請求の範囲】
【請求項１】
２層構造からなる防護服の１層目に防護服内の温度調整を目的とした空調装置を設け、２層目に蜂等の害虫駆除作業中に前記空調装置から前記害虫の侵入を防ぐためのハードメッシュを設け、この２層目の構造は前記１層目の点検作業を可能にするためファスナーにて開閉を可能にしたことを特徴とする防護服。
【考案の詳細な説明】
【技術分野】
【０００１】  本考案は、蜂等の害虫駆除時に使用する防護服に関し、特に取り付けた空調装置部分における２層構造仕様に関するものである。
【背景技術】
【０００２】  従来の空調装置付きの防護服（下記先行技術文献参照）には、蜂等の害虫の侵入を防ぐ機構がなく害虫が空調装置に巻き込まれ侵入してしまう可能性がある。【０００３】  また、空調機に直接取り付ける不織布タイプのフィルターでは空気の循環を妨げ防護服内の温度調整が困難であった。
【先行技術文献】
【特許文献】
【０００４】
【特許文献１】特開２００５−０１６４１９号公報
【考案の概要】
【考案が解決しようとする課題】
【０００５】  蜂防護服における空調装置の取り付けは害虫の侵入経路を増やしてしまうため危険性が大きい。また不織布を用いてでの対策は網目の細かさから空調機能の低下、及び取替えによるランニングコストが発生する。従って２層構造を用いた害虫の侵入対策により前述した問題点を解決しようとするものである。
【課題を解決するための手段】
【０００６】  本考案は、２層構造からなる防護服の１層目に防護服内の温度調整を目的とした空調装置を設け、２層目に害虫駆除作業中に前記空調装置から前記害虫の侵入を防ぐためのハードメッシュを設け、この２層目の構造は前記１層目の点検作業を可能にするためファスナーにて開閉を可能にしたことを特徴とする防護服である。
【考案の効果】
【０００７】  上記の通り、２層目のフィルターにハードメッシュを採用することで空気循環性を高め且つ害虫の侵入を防ぐことで安全性を高める。【０００８】  また、一般的に用いられるフィルターと比べ交換を必要としない。
【図面の簡単な説明】
【０００９】
【図１】  本考案に係る防護服の上衣の正面図である。
【図２】  同上の空調装置の取り付けを示す説明図である。
【図３】  同上のハードメッシュを示す説明図である。
【考案を実施するための形態】
【００１０】  防護服である上衣の裾部から胸部まで２層の生地を用い、胸部より上にかけては１層の生地を用い、ファスナー部分で２層の生地を縫い合わせることでファスナーを閉めると完全に独立した空間が完成され、ファスナーの開閉により１層目に接触でき、空調装置の点検作業が可能である。
【実施例】
【００１１】  以下、添付図面に従って本考案の一実施例を説明する。【００１２】  １は、ポリウレタンコーティングにより低摩擦性を向上させた生地を表面全体に用いた防護服である。【００１３】  防護服１の前方腹部個所に設けたファスナー部分２は、防護服１の１層目のファスナー部分２上に取り付けられた空調装置３とバッテリー５の操作をするために設けられており、空調装置３とバッテリー５とは、防護服１に設けたコードホール４を介してコード（図示しない）に接続される。【００１４】  防護服１は、前記１層目の内側にハードメッシュ６からなる２層目が設けてあり、害虫駆除作業時において危険とされる害虫の防護服１内への侵入を防ぐことが出来る。【００１５】  このように、防護服１の裾部から胸部まで２層の生地を用い、胸部より上にかけては１層の生地を用いる。また、ファスナー部分２で２層の生地を縫い合わせることでファスナー部分２を閉めると完全に独立した空間が完成する。ファスナー部分２の開閉により１層目に接触でき、空調装置３とバッテリー５の点検作業が可能である。
【符号の説明】
【００１６】  １  防護服
２  ファスナー部分
３  空調装置
４  コードホール
５  バッテリー
６  ハードメッシュ
【図１】
0003213642.tif 000003
【図２】
0003213642.tif 000004
【図３】
0003213642.tif 000005
(57)【要約】      （修正有）【課題】美観を損ねず、最後まで完全燃焼出来る線香立てを提供する。【解決手段】基台１に埋め込まれた磁石２に金属コイル３を吸着させることで、金属コイル３は線香５下端の保持部を形成し、その金属コイル３内に火をつけた線香５を挿入すると、金属コイル３内には十分な隙間があるので空気が通い、また線香５と接点の少ない金属コイル３は、火のついた線香５の熱を奪われにくくする為、消えることなく最後まで線香５を完全燃焼させることが出来る。【選択図】図３
0003213648.tif 000002
【実用新案登録請求の範囲】
【請求項１】
線香を内包する太さと線香を保持するに可能な長さの金属コイルを、基台に埋め込んだ磁石に吸着させ、その金属コイル内に火をつけた線香を挿入すると、線香は完全に燃焼することを特徴とする線香立て。
【請求項２】
請求項１に記載の線香を保持する金属コイルは、細かな網状を呈した金属筒あっても、線香は完全に燃焼することを特徴とする線香立て。
【考案の詳細な説明】
【技術分野】
【０００１】    本考案は、線香下端部まで完全燃焼する線香立てに関するものである。
【背景技術】
【０００２】    線香の完全燃焼する為の考案は、［特許文献１］特開２００２−２０４７４４、［特許文献２］特開２００６−２４７３５５にあるよう様々な出願が出されている。
【先行技術文献】
【０００３】
【特許文献１】特開２００２−２０４７４４  発明名称  低熱性疎巻コイルを利用した、線香・香水香立類
【特許文献２】特開２００６−２４７３５５  発明名称  燻り残りの滓の生じない線香立て製作方法等
【考案の概要】
【考案が解決しようとする課題】
【０００４】  従来のお香を楽しむ為の線香立ては、金属・陶器等の基台に線香を保持する為の線香挿入孔があり、その挿入孔に線香を差し使っているのが一般的であるが、挿入孔には燃えきらない線香が残ってしまい始末が面倒な上、燃えきらない高価な線香は実にもったいない。【０００５】  先行技術として、上記記載の、特開２００２−２０４７４４  特開２００６−２４７３５５にありますよう、線香の完全燃焼を目的とする特許・考案は出願されてきました。しかし、様々なシチュエーションで使うとなると、美観、使い勝手の点で配慮したものではない。
【課題を解決するための手段】
【０００６】  そこで本考案は、基台に磁石を埋め込んだ磁石自体の磁力によって金属コイルと基台を吸着させ［図２］、基台に固定された金属コイルは、線香保持ホルダーの役目を果たし線香を挿入することが出来る。【０００７】  基台に磁力を通じ固定されたコイル内に挿入された線香は、空気の流れがあり、またコイル自体が細く燃えている線香の熱を奪わないため、線香は完全に線香下端まで燃え尽きる。
【考案の効果】
【０００８】  本考案は、図３・図４にあるように基台に磁石が埋め込まれている為、自在にコイルが固定され、そのコイル内部に線香を挿入すると、線香下端まで線香は燃えきり無駄なく高価な線香を使い切り堪能することが出来る。【０００９】  また、様々なシチュエーションで美観にも配慮された完全燃焼する様々な線香立てが創造出来る。
【図面の簡単な説明】
【００１０】  上記に記載してきました考案の様子を、極力図で解るように描いた
【図１】  一般的に市販されている線香立て斜面図であり、線香挿入孔には燃えきらない線香が残る
【図２】  請求項１請求項２に記載の金属コイルと網状を呈した金属筒の斜面図
【図３】  請求項１の分解・組み立てが解る斜面図
【図４】  ［図３］と同じだが、埋め込まれた磁石は半球上で突起がある斜面図
【図５】  基台を大きくし灰受け面のある線香立ての応用例  平面図
【図６】  図５の正面図
【考案を実施するための形態】
【００１１】  本考案で実施しようとする線香立ては、高価な線香が完全燃焼し全てが灰と化すことを目的としたもので、さらには美観も意識したものである。
【００１２】  磁力の強い磁石が日進月歩で開発されている現代でこそ可能となった線香立てであり、図２に描いた球状磁石もあるように、磁石の種類の多彩さは線香立ての美的表現には重要な要素ともなる。
【実施例】
【００１３】  図５図６に描きましたように、線香を保持する金属コイルが基台と別体なので、様々なデザインの線香立てが創造出来る。
【符号の説明】
【００１６】１  線香立て基台
２  基台に埋め込まれた磁石
３  金属コイル
４  網状を呈した金属筒
５  線香
６  ２同様基台に埋め込まれた球状磁石
【図１】
0003213648.tif 000003
【図２】
0003213648.tif 000004
【図３】
0003213648.tif 000005
【図４】
0003213648.tif 000006
【図５】
0003213648.tif 000007
【図６】
0003213648.tif 000008
(57)【要約】      （修正有）【課題】チーズ類を生産する際の、生産パレットの入れ替え作業を軽減する縦型回転チーズ生産棚を提供する。【解決手段】立方型に成型したフレーム１の両側面に複数個の歯車２を取付け、突起の付いたチェーン３をかけて、チェーン３の突起に両側にフックが付いた棚４を懸架し、ハンドル８操作による手動及び電力を用いた減速機７によって、棚４が常に水平な状態を保ったまま任意の高さに現れる構造を持つ。また、生産棚を縦軸回転台５に載せることで、生産棚の向きを３６０度自在に変えることができる。【選択図】図１
0003213054.tif 000002
【実用新案登録請求の範囲】
【請求項１】
立方型に成型したフレームの両側面に複数個の歯車を取付け、突起の付いたチェーンをかける。このチェーンの突起に両側にフックが付いた棚坂を懸架することで、棚が常に水平な状態を保ったまま任意の高さに現れる構造を持つ収納棚。
【請求項２】
上記請求項１の収納棚を、縦軸回転する回転台が付いた架台に載せることで、収納棚の向きを自在に変えることができる構造を持つ収納棚。
【考案の詳細な説明】
【技術分野】
【０００１】本案は、乳製品加工業においてチーズ類の生産に用いられる。限られた空間を最大限に活用し、かつ作業効率を向上させる生産棚の構造に関する。
【背景技術】
【０００２】限られた空間でより多くのチーズ類を生産する場合、多段の栽培棚やフレームに棚板を固定した生産棚が用いられるが、チーズ類の熟成を安定させるための生産パレットの入れ替えの際、最上段から最下段までの高低差が作業性を悪くする。【０００３】このような生産棚は棚板の数を多くすると生産棚が大きくなり、一度設置すると移動することが困難になる。
【考案の開示】
【考案が解決しようとする課題】
【０００４】本考案は、上記実情に鑑みてなされたもので、生産棚の棚板の位置を任意の高さに容易に変えることができ、生産パレットの入れ替え作業にかかる手間を大幅に削減することができる生産棚を提供するものである。【０００５】本考案は、さらに作業内容にあわせて生産棚の向きを容易かつ自在にかえることができる、極めて作業効率向上させる生産棚を提供するものである。
【課題を解決するための手段】
【０００６】前述の課題を解決するために、本考案の生産棚は、立方型に成型したフレームの両側に歯車を複数個取付け、棚の大きさに準じた間隔で突起を付けたチェーンを歯車に掛ける。両側にフックが付いた棚を両側のチェーンの突起に掛け懸架する。両側の歯車を同時に回転させると、棚が常に水平な状態で正面に現れることを特徴とする構造である。【０００７】また、上記の生産棚を縦軸回転の回転台を付けた架台に載せることで、棚を懸架したまま生産棚の向きを３６０度自在に変えることができることを特徴とする構造である。
【考案の効果】
【０００８】本考案により、チーズ生産における生産パレットの入れ替え作業が、歯車を回転させるだけで容易にできるようになる。【０００９】図１のフレーム  １  の上下に歯車  ２  を左右同時に回転するよう図２の軸  １１  の両側に取り付ける、この歯車に突起がついたチェーン  ３  を突起の位置が左右水平になるように張る。このチェーン  ３  の突起に図３のフック  １３  で棚を懸架し、配置する。図１の減速機  ７  のハンドル  ８  を廻すとチェーン  ９  により歯車  ２  及びチェーン  ３  が回転し、棚  ４  が常に水平を保ったままチェーン  ３  の軌道上を移動する。歯車のサイズ及び数、条件によって増減する。また、歯車の駆動は、手動のほかにモーターによる自動も可能である。【００１０】図１のフレーム  １  は回転台  ５  によって３６０度自在に向きを変えることができる。
【産業上の利用可能性】
【００１１】本考案は、チーズ類の生産の際に、チーズ類の熟成を安定させるための生産パレットの入れ替え作業を画期的に軽減する、生産棚に関するものである。
【図面の簡単な説明】
【００１２】
【図１】本考案の右側図面
【図２】本考案の正面図
【図３】棚の簡単な斜視図
【符号の説明】
【００１３】１  フレーム
２  歯車
３  突起付きチェーン
４  棚
５  縦軸回転台
６  架台フレーム
７  減速機
８  ハンドル
９  チェーン
１０  軸受
１１  軸
１２  突起
１３  フック
【図１】
0003213054.tif 000003
【図２】
0003213054.tif 000004
【図３】
0003213054.tif 000005
【手続補正書】
【提出日】平成29年7月31日(2017.7.31)
【手続補正１】
【補正対象書類名】実用新案登録請求の範囲
【補正対象項目名】全文
【補正方法】変更
【補正の内容】
【実用新案登録請求の範囲】
【請求項１】
立方型に成型したフレームの両側面に複数個の歯車を取付け、突起の付いたチェーンをかけて、チェーンの突起に両側にフックが付いた棚坂を懸架し、ハンドル操作による手動及び電力を用いた減速機によって、棚が常に水平な状態を保ったまま任意の高さに現れる構造を持つ縦型回転チーズ生産棚。
【請求項２】
上記請求項１の縦型回転チーズ生産棚を、縦軸回転する回転台が付いた架台に載せることで、収納棚の向きを自在に変えることができる構造を持つ縦型回転チーズ生産棚。
(57)【要約】      （修正有）【課題】ズボン等のベルトに通して使用するウエストポーチにおいて、デザインを制限することなく、かつ簡便に、装着時の位置を固定すると共にズボン等の着脱時の落下を防ぐ。【解決手段】ウエストポーチの主たる取り付け用ループ１に並行して補助的ループ２を設け、ポーチの取り付けループと補助的ループの間にズボンのベルト通し５を挟むようにベルトを通すことにより、装着時の位置を固定すると共にズボン等の着脱時の落下を防止する。【選択図】図２
0003213051.tif 000002
【実用新案登録請求の範囲】
【請求項１】
ズボン等のベルトに通して使用するウエストポーチにおいて、主たる装着用ループに並行して紐状の補助ループを設ける、という簡易な方法により、本体のデザインを制限することなく、装着時の本体位置を固定できることを特徴とするウエストポーチ。
【請求項２】
前記の補助ループを設けることにより、ズボン等の脱着時における落下を防ぐことができる請求項１記載のウエストポーチ。
【請求項３】
前記の補助ループは、ハトメ穴、スナップボタン等を用いて取り付けることにより、取り付け位置を細かく調整できることを特徴とする請求項１記載のウエストポーチ。
【考案の詳細な説明】
【技術分野】
【０００１】  本考案は、装着時の位置を固定し、ズボン等の脱着時の落下を防ぐための補助ループを設けた、ウエストポーチに関するものである。
【背景技術】
【０００２】  屋外での作業やレジャーに、小型の物品を安全に携行するため、ベルトに通して装着するウエストポーチが重宝されており、収納携帯品の目的により様々なデザインの商品が市販、使用されている。しかしながら、装着時に位置が定まらず動いてしまい、作業や運動の邪魔になったり、ズボン等の脱着の際に本体の重みでウエストポーチがベルトから外れて落下してしまうことがあった。【０００３】  先行技術として、物品を収容する本体の上部に掛止片を取り付けズボン等のウエスト周縁に止め付ける（特許文献１）という考案がなされている。
【先行技術文献】
【特許文献】
【０００４】
【特許文献１】実用新案登録第３０４８３５６０号公報
【考案の概要】
【考案が解決しようとする課題】
【０００５】  従来のウエストポーチは、着用時における位置が不安定であったり、ズボン等の脱着時に本体の重みで落下したりしていた。先行する特許文献１においては、着装位置の固定および脱着時の落下防止の効果は期待できるが、本体のデザインが大幅に制限されていることを解決しようとするものである。
【課題を解決するための手段】
【０００６】  本考案は、ベルトに通して本体を装着するための主たるループに並行して細い紐状の補助ループを設けることにより問題点を解決している。
【考案の効果】
【０００７】  上述のように、本考案のウエストポーチは、ベルトに通して本体を装着するための主たるループに並行して細い紐状の補助ループを設けたので、ウエストポーチ本体のデザインを何ら制限することなく装着時の本体位置を安定させ、ズボン等の脱着の際にウエストポーチが落下することをも防止する。
【図面の簡単な説明】
【０００８】
【図１】本考案のウエストポーチの一例を示す背面図である。
【図２】本考案のウエストポーチをズボン等のウエストベルトに装着した一実施例の上面図である。
【図３】本考案のウエストポーチの一例を示す正面図である。
【考案を実施するための形態】
【０００９】  ウエストポーチをズボン等に装着するための主たるループに並行して、補助的な細いループを取り付けることにより、着用時の位置が固定される。また、補助ループをハトメ穴やスナップ等着脱可能な方法で取り付けたり、あらかじめ主たるループの両側に付けることにより、より細かく装着位置を調整することができる。
【実施例】
【００１０】  以下、添付図面に従って一実施例を説明する。１はベルト等に通してウエストポーチ本体を保持するための主たるループ、２は着装位置を固定させるための補助ループである。３は補助ループの位置を変えられるよう予備として設けたハトメ穴である。【００１１】  ４はズボン等のウエスト部、５はズボン等のベルト通しループ、６はズボン等に通したベルトである。図２のように、ウエストポーチの主たるループと補助的ループとの間にズボン等のベルト通しを挟むようにしてベルトを通すことにより、装着時の位置を固定する。ズボン等のベルト通しの両側からウエストポーチの本体を支えるので、重みにより容易に脱落することがない。【００１２】  本考案の一実施例は上述の如き構成からなるものであるから、ズボン等の着脱時にウエストポーチが本体の重みによりベルトから外れて落下することがない
【符号の説明】
【００１３】１  ウエストポーチの主たるループ
２  ウエストポーチの補助ループ
３  ハトメ穴
４  ズボン等のベルト通しループ
５  ベルト
【図１】
0003213051.tif 000003
【図２】
0003213051.tif 000004
【図３】
0003213051.tif 000005
【手続補正書】
【提出日】平成29年7月26日(2017.7.26)
【手続補正１】
【補正対象書類名】実用新案登録請求の範囲
【補正対象項目名】全文
【補正方法】変更
【補正の内容】
【実用新案登録請求の範囲】
【請求項１】
衣服のベルトに通して使用するウエストポーチにおいて、主たる装着用ループに並行して紐状の補助ループを設けることにより、本体のデザインを制限することなく、装着時の本体位置を固定できることを特徴とするウエストポーチ。
【請求項２】
前記の補助ループを設けることにより、衣類の脱着時における落下を防ぐことができる請求項１記載のウエストポーチ。
【請求項３】
前記の補助ループは、ハトメ穴またはボタンを用いて取り付けることにより、付け外しができることを特徴とする請求項１記載のウエストポーチ。
(57)【要約】      （修正有）【課題】無人でも確実に防災機器の作動を可能にする水害防止用水溶解式自動スイッチを提供する。【解決手段】通常時Ａは、重量を有する起動連結部Ｂを上部に配し、その下部に上部を支えられる強度を有した支え部Ｅを配し、浸水時に支え部Ｅが水との接触により溶解してその強度が失われ、起動連結部Ｂが落下する動作でスイッチが入る事を特徴とする。【選択図】図１
0003213052.tif 000002
【実用新案登録請求の範囲】
【請求項１】
縦長の筒状内上部に重量を有した起動連結部、下部に通常時は上部を支えられる圧縮強度を有し、水との接触時に溶解する支え材を施した支え部を配し、一定の水位に達した浸水時に筒状内支え部へ水の流入により支える強度を失い、上部の連結部が重力により落下する動作でスイッチが入る事を特徴とした、水害防止用自動スイッチ。
（図１、図２）
【考案の詳細な説明】
【技術分野】
【０００１】  本考案は、浸水や冠水被害防止を目的とした水溶解式の自動スイッチに関するものである。
【背景技術】
【０００２】  異常豪雨や地震津波による浸水や冠水被害の可能性が高くなっている昨今に於いて、各地では防潮扉や住民に対する緊急避難放送システム等の防災設備やシステム設定が進んでいる。
それらの防災機器を作動させるスイッチ類も、手動式、電気式等多種存在している。
【考案の開示】
【考案が解決しようとする課題】
【０００３】  しかし、これらのスイッチ類は地震の振動等による誤作動や停電時や無人時にスイッチが作動せず、無力化となる恐れが有る。
又、職務従事者に生命の危険が伴う作動操作が必要とされる場合もあり、危険が差し迫った最終的な場面に於いても安全、確実に作動させられる無人式自動スイッチの開発が望まれている。
【課題を解決する為の手段】
【０００４】  そこで、当課題を解決する為、請求項１の考案は、縦長の筒状内上部に金属製等の落下に要する重量を有した起動連結部、下部に通常時は上部の重量に対して支え強度を有しその形状を保ち続け、水に接触した場合に溶解してその強度が急速に低下する素材による支え部を配する。
今後の危険が予測される安全水位時に流入孔から筒内下部へ水の流入により支え部が溶解し、上部の起動部が重力により落下する動作で、無人であっても確実にスイッチが作動するものである。
（図１、図２）
【考案の効果】
【０００５】  よって、浸水や冠水被害となる集中豪雨、高潮、津波等による緊急時に、水の流入と重力を応用する本考案の作動スイッチにより、
（１）無人であっても確実に防災機器の作動が可能になる。
（２）危険が差し迫った状況下で防潮扉、緊急避難放送、サイレン吹鳴等の防災機器の作動が無人の状態で可能になり、職務関係者が事前に避難出来る。
（３）操作忘れ等の人為的なミスをカバー出来る。
（４）当スイッチの作動が既に浸水の始まりである事を、住民への事前広報により周知させる事で、迅速な避難行動に繋がる。
（５）アンダーパスの冠水は、その状況から停電及び無人の可能性が高く、電気に頼らない防災機器の自動起動が可能となる。
等、人の生命、身体、財産を護り、安全な社会生活の構築に寄与するものである。
【考案を実施する為の最良の形態】
【０００６】  本考案に係る作動スイッチは、図１に示す通り、縦長の筒状内上部から上に突き出た連結部を配し、支え部の上に乗せた状態で備えるものである。
連結部の材質は、金属等で重量を有し、浸水時に支え部の支え強度が失われた場合、重力で真下に落下する形状と重量が必要である。
下部には支え部として、通常時は連結部を支える強度を保持してその形状を保ち続け、水との接触で溶解しその強度が失われる素材を備えるものである。
支え部は、支え強度と水溶解性を併せ持つ素材の段ボール製が適しており、支え強度は段目（波目）を立てた縦目方向の強度を利用し、巻き状にして備えるものである。（図３）
筒全体の形状は、水はねや水の滴り等による筒内へ水の侵入を防ぐ形状とし、筒の最下部に水抜き孔、下部の複数個所に浸水時に於ける水の流入孔を施すものである。
筒の材質は、金属、プラスチック、塩ビ等必要な強度を保持した素材で構成するものである。
当該作動スイッチの作動後、機能を復元させる場合は、支え材を図１の状態に再セットする事により機能の回復が図れる事から、筒の上下部が取り外せる形状にして筒内の洗浄と乾燥及び、支え材の交換が可能な状態にする事で、繰り返しの使用が図れる。
【図面の簡単な説明】
【０００７】
【図１】本考案の作動スイッチを透視した全体図である。
【図２】浸水時に支え部が溶解し、連結部が落下してスイッチが作動した透視図である。
【図３】支え材として適材となる段ボールである。
【符号の説明】
【０００８】Ａ  スイッチ通常時
Ｂ  連結部
Ｃ  筒部
Ｄ  連結部重し部
Ｅ  支え部
Ｆ  支え部受けアミ
Ｇ  筒内水流入孔、排水孔
Ｈ  床面
Ｉ  安全水位
Ｊ  スイッチ作動時
Ｋ  水に溶解した支え材
Ｌ  危険水位
Ｍ  水流入防止笠
Ｎ  クラフトテープ
Ｏ  縦目ライン
Ｐ  表ライナー
Ｑ  裏ライナー
Ｒ  中芯
【図１】
0003213052.tif 000003
【図２】
0003213052.tif 000004
【図３】
0003213052.tif 000005
【手続補正書】
【提出日】平成29年7月28日(2017.7.28)
【手続補正１】
【補正対象書類名】実用新案登録請求の範囲
【補正対象項目名】全文
【補正方法】変更
【補正の内容】
【実用新案登録請求の範囲】
【請求項１】
通常時は、重量を有する起動連結部を上部に配し、その下部に上部を支えられる強度を有した支え部を配し、浸水時に支え部が水との接触により溶解してその強度が失われ、起動連結部が落下する動作でスイッチが入る事を特徴とした水害防止用水溶解式自動スイッチ。
(57)【要約】      （修正有）【課題】１個のハンガーで多数のハンガーを掛けることができ、室内干し、天日干しにおいて風の力を利用して乾かすことができるハンガーを提供する。【解決手段】コマ半円形回転部５を有する回転コマ１と、コマ半円形回転部に固定され、ハンガーを水平に保つように内側に曲がった形状を有する丸形支柱３と、丸形支柱の上端に設けられた平形フック４と、平形フックの背面に設けられたパーカー掛け具２と、回転コマ１の左右に回転自在に設けられた２つのハンガー羽根９と、２つのハンガー羽根それぞれの上部に設けられたＴ字形風受け７と、を備えるハンガーであって、２つのハンガー羽根９が、それぞれ、複数のハンガー掛け穴８を有する。【選択図】図１
0003213055.tif 000002
【実用新案登録請求の範囲】
【請求項１】
ハンガーの回転ゴマ１に平型フック４の背面にパーカー掛け具２を
設け途中より竿に水平を保つように内側に曲った丸形支柱３を
コマ半円形回転部５を通しハンガー羽根９の上部にＴ字形風受け７で
回転を助け羽根９片方不要の時は上方に押し上げ１個のハンガーでハンガー掛け穴８に多数のハンガーを掛けられる回転式多機能付ハンガー。
【考案の詳細な説明】
【技術分野】
【０００１】本考案は、風力で回転及び多機能付ハンガーに関するものである。
【背景技術】
【０００２】従来、洗濯物は晴天以外は浴室や室内に干していたが湿度の関係でなかなか乾燥出来なかった。
【選考技術文献】
【特許文献】
【０００３】
【非特許文献】
【０００４】
【考案の概要】
【考案が解決しようとする課題】
【０００５】雨の日や花粉、黄砂の降る日や女性の下着等は外に干せなかった。ハンガーを掛けるスペースも必要で乾燥が遅かった。
本考案は、以上の欠点を解決しようとするものである。
【課題を解決するための手段】
【０００６】本考案は、室内干しの場合はドアやタンスの引き出し鴨居に掛け、１個の本体に多数のハンガーを掛け扇風機の風で乾燥出来る。
片方不要の時は上方に折りたためる。
天日干しの場合はハンガーが微風で揺らぐし洗濯物本体が回転するため、早く乾くしハンガー掛け８で多数の洗濯物が省スペースで干すことにより問題点を解決している。
【考案の効果】
【０００７】従って雨天や花粉、黄砂等降る時は室内干しでドア、タンスの引き出し、鴨居にフック４を引っ掛けて扇風機の風で乾かせる。
天日干しは自然の風力でゆらぎ、又は回転で乾燥すると省スペースで多数のハンガーが掛けられる。
【図面の簡単な説明】
【０００８】
【図１】本考案の丸形回転ゴマの正面図である。
【図２】本考案の箱型回転ゴマの正面図である。
【考案を実施するための形態】
【０００９】室内干しの場合はフック４を鴨居やドア、タンスの引き出しに掛けてハンガー羽根９片方不要の時は上方に折りたたみ扇風機の風で乾かす。
天日干しは竿にハンガーの片寄りを防ぐため、丸支柱３が内側のため中心になるしＴ型風受け７とコマ半円形回転部でスムーズに回転、ハンガー掛け穴８で多くハンガーが掛けられる。
【実施例】
【００１０】以下、図面に従って実施例を説明する。１は丸形箱型コマで底にコマ一体型で半円形回転部５がありコマにハンガー羽根９を固定具１０で止め、羽根９を水平に保つようにハンガー止め部１１で止める。【００１１】フック４の裏側には取外し式パーカー掛け具２があり、平形フック４の下は丸形支柱３が竿に水平になるように内側になっている。【００１２】ハンガー羽根９には上部にＴ形風受け７とハンガー掛け穴８で多数ハンガーが下げられるため、洗濯物がよく回転して乾く。【００１３】ズボンを裏返してベルト止めにハンガー先端９、９を引っ掛けズボンに空間を作るため自然の風でゆらぎ又は回転で乾燥する。
【符号の説明】
【００１４】１          回転コマ
２          パーカー掛け具
３          丸形支柱
４          平形フック
５          コマ半円形回転部
６          支柱固定具
７          Ｔ形風受け
８          ハンガー掛け穴
９          ハンガー羽根
１０        ハンガー固定具
１１        ハンガー止め部
【図１】
0003213055.tif 000003
【図２】
0003213055.tif 000004
【手続補正書】
【提出日】平成29年7月28日(2017.7.28)
【手続補正１】
【補正対象書類名】実用新案登録請求の範囲
【補正対象項目名】全文
【補正方法】変更
【補正の内容】
【実用新案登録請求の範囲】
【請求項１】
コマ半円形回転部（５）を有する回転コマ（１）と、
前記コマ半円形回転部（５）に固定され、ハンガーを水平に保つように内側に曲がった形状を有する丸形支柱（３）と、
前記丸形支柱（３）の上端に設けられた平形フック（４）と、
前記平形フック（４）の背面に設けられたパーカー掛け具（２）と、
前記回転コマ（１）の左右に回転自在に設けられた２つのハンガー羽根（９）と、
前記２つのハンガー羽根（９）それぞれの上部に設けられたＴ字形風受け（７）と、を備えるハンガーであって、
前記２つのハンガー羽根（９）が、それぞれ、複数のハンガー掛け穴（８）を有することを特徴とするハンガー。
(57)【要約】      （修正有）【課題】設置場所の天井と床面を突っ張る事で転倒を防止する突っ張り耐震本棚の本体に、デスク天板部をネジを用いて固定する事により、家屋の揺れを伴う災害の発生時にデスクの転倒や倒壊、移動を防止して二次被害の発生を防ぐことができる突っ張り耐震本棚用デスクを提供する。【解決手段】デスクの側板２と補強板３を、組み立てネジを用いて固定させたうえで、補強板３上部のカムロックを用いて天板１と固定させ、設置場所の天井と床面を突っ張る事で転倒を防止する突っ張り耐震本棚９の本体内側に、天板１長手方向の一端をはめ込み、固定ネジ８Ａを用いて突っ張り耐震本棚９と天板１を固定し、デスクの側板２と補強板３の下部に設置するアジャスター５Ａを微調整する事でデスクを安定させ、デスクの転倒や倒壊、移動を防止する事を特徴とする。【選択図】図２
0003213053.tif 000002
【実用新案登録請求の範囲】
【請求項１】
設置場所の天井と床面を突っ張る事で転倒を防止する突っ張り耐震本棚の本体側板に、デスクの天板部をネジ用いて固定する突っ張り耐震本棚用デスク。
【考案の詳細な説明】
【技術分野】
【０００１】  本考案は、設置場所の天井と床面を突っ張る事で転倒を防止する突っ張り耐震本棚の本体に、デスクの天板部をネジを用いて固定する突っ張り耐震本棚用デスクに関する。
【背景技術】
【０００２】  従来、デスクは他の家具に固定される事無く、単体で自立して利用される事が一般的であった。
【考案の概要】
【考案が解決しようとする課題】
【０００３】  しかしながら、単体で自立して利用されるデスクは、地震など家屋の揺れを伴う災害の発生時には、転倒や倒壊、移動するなどの危険性があった。
【課題を解決するための手段】
【０００４】  本考案は、以上のような従来の欠点に鑑み、設置場所の天井と床面を突っ張る事で転倒を防止する突っ張り耐震本棚の本体側板に、デスク天板部をネジを用いて固定し、家屋の揺れを伴う災害の発生時に、デスクの転倒や倒壊を防止し、元の設置場所からも移動する事無く安定させる事で、上記課題を解決するものである。
【考案の効果】
【０００５】  本考案に係る突っ張り耐震本棚用デスクは、設置場所の天井と床面を突っ張る事で転倒を防止する突っ張り耐震本棚と構造の一部を共有する事により、家屋の揺れを伴う災害の発生時にデスクの転倒や倒壊、移動を防止する事で二次被害の発生を防ぐ事が出来、デスクの構造についても必要最小限の部材のみで構成されている為に、組み立てが容易である。
【図面の簡単な説明】
【０００６】
【図１】本考案に係る突っ張り耐震本棚用デスクの組み立て工程図である。
【図２】本考案に係る突っ張り耐震本棚用デスクの天板結合部の図である。
【図３】本考案を実施する為の最良の形態の完成図である。
【考案を実施するための形態】
【０００７】  図１に示すように、側板２と補強板３を、組み立てネジ４Ａで固定し、補強板３の側面上部にカムロック受け６Ａを開口部が天板１側に向くように配置する。そこにカムロックネジ７Ａを埋め込んだ天板１を、補強板３のカムロック受け６Ａにはめ込み、カムロック受け６Ａのネジを締めて固定する。
【０００８】  図２に示すように、上記工程により完成した突っ張り耐震本棚用デスクの天板１を、突っ張り耐震本棚９の本体内側にはめ込み、固定ネジ８Ａを用いて固定する。そしてアジャスター５Ａの高さを微調節して、突っ張り耐震本棚用デスクを安定させる。
【０００９】  図３は、本考案を実施する為の最良の形態の完成図であり、図３に示すように、突っ張り耐震本棚９と構造の一部を共有する事により、家屋の揺れを伴う災害の発生時にデスクの転倒や倒壊、移動を防止する事が出来、二次被害の発生を防ぐ事が出来る。
【符号の説明】
【００１０】１    天板
２    側板
３    補強板
４Ａ  組み立てネジ
５Ａ  アジャスター
６Ａ  カムロック受け
７Ａ  カムロックネジ
８Ａ  固定ネジ
９    突っ張り耐震本棚
【図１】
0003213053.tif 000003
【図２】
0003213053.tif 000004
【図３】
0003213053.tif 000005
【手続補正書】
【提出日】平成29年7月27日(2017.7.27)
【手続補正１】
【補正対象書類名】実用新案登録請求の範囲
【補正対象項目名】全文
【補正方法】変更
【補正の内容】
【実用新案登録請求の範囲】
【請求項１】
デスクの側板と補強板を、組み立てネジを用いて固定させたうえで、補強板上部のカムロックを用いて天板と固定させ、設置場所の天井と床面を突っ張る事で転倒を防止する突っ張り耐震本棚の本体内側に、天板長手方向の一端をはめ込み、固定ネジを用いて突っ張り耐震本棚と天板を固定し、デスクの側板と補強板の下部に設置するアジャスターを微調整する事でデスクを安定させ、デスクの転倒や倒壊、移動を防止する事を特徴とする突っ張り耐震本棚用デスク。
(57)【要約】      （修正有）【課題】介護レクリエーション用として行うバトン送りゲームに使用する円筒状のバトンを提供する。【解決手段】弾性的な弾性体を充満し、その表皮は布又は合成樹脂製薄膜１で全面を覆い端部分は縫合または溶着する。その内部に発光装置３と発音装置５を外部に通気を利用した放香装置４を装設する。高齢者がゲームを通じて軽度の運動で機能回復や健康増進をすることが出来て、また集団でゲームを楽しむので精神的に高齢期を明るく健康な生活をおくることを目的としている。【選択図】図１
0003213063.tif 000002
【実用新案登録請求の範囲】
【請求項１】
弾性的な弾性体を充満した中身に布又は合成樹脂製薄膜で全面被覆し内部に発光装置と発音装置とその外部に放香装置とを装設したところを特徴とする介護レクリエーション用バトン。
【考案の詳細な説明】
【技術分野】
【０００１】  本考案は介護レクリエーション用バトンに関すものである。
【背景技術】
【０００２】  従来リレー走は第一走者から第四走者まで四人でバトンを渡して繋いで走りそのタイムを競うゲームである。これに使用するバトンは通常３０ｃｍ程度の円筒形で金属製である。また幼稚園等の幼児リレー競技に使用される円形バトンの形状は幼児専用でありいずれも高齢者には使用しにくい。
【先行技術文献】
【０００３】
【特許文献】
【特許文献】特開２００９−０６００３
【０００４】
【非特許文献】
【非特許文献】「ワンダーブツクの保育用品総合カタログ  ２０１７−２０１８」，世界文化社，Ｐ３３０
【考案の概要】
【考案が解決しようとする課題】
【０００５】  従来リレー走に使用するバトンの長さは短く形状は小さく、幼児用バトンは円形のため高齢者や車いす使用の高齢者はそのまま使用しにくい欠点がある。
【課題を解決するためのるための手段】
【０００６】  本考案は高齢者、車いすを使用した高齢者がその使用と利便性を考慮してバトンの形状を円筒状とし、バトンの中は発泡ウレタン等の弾性的な弾性体を充満し、その表皮は布又は合成樹脂製薄膜で覆いその端部分は縫合または溶着した形状とする。並列した車いす使用者がバトンの受け渡し可能な長さと形状にすることを目的としている。
【０００７】  バトンの上部にフアスナー又はマジツクテープ等で閉開口を設け、その中に箱状基礎板を収納し発光装置と発音装置を装着して、発光装置はバトンの先端部にＬＥＤ電球と電池及びスイツチ回路を装設する。もう一方の端部には発音装置を設置し発音体と電池及びスイツチ回路を装設する。介護ヘルパーが適宜操作可能な構造にしておく。
【０００８】  穿孔部分を有した閉開可能な容器の蓋と、通気穴と芳香剤設置できる部分を有した金属製又は合成樹脂製からなる形状の容器をバトン本体に糊で密着させる。当該容器の中に液体芳香剤を脱脂綿等に浸透しまたは固形芳香剤を設置して置き、これをゲームでバトン受け渡しの都度バトン本体内部のウレタン等弾性体中身の収縮と反発の作用により空気が放香装置を通過して作動する。この放香装置をバトン中央部に装着する。本考案は以上の構成よりなる介護レクリエーション用バトンである。
【考案の効果】
【０００９】  以上の説明から明らかなように本考案にあつては次に列挙する効果が得られる。
（１）バトンが円筒状でその長さが５０ＣＭ以上となつているため、車いすに座つて並列している利用者又は椅子に座つて並列している利用者がそのバトンの受け渡しが容易にできる。この受け渡し動作により利用者は適度の運動効果が得られる。
（２）高齢者は身体機能が低下してきているので、バトンの発光装置や発音装置の作動により利用者の身体器官に刺激を与えその機能低下を防止することに期待できる。
（３）この放香装置の作動で受け渡しごとに芳香を発するので香りを嗅ぐことにより、認知症予防や症状進行を遅らせるためその効果があり、また嗅覚の機能低下を防止する事が出来る。
（４）利用者がこの介護レクリエーションゲームを利用することで身体の機能維持や機能回復すると同時に集団でゲームを楽しむので精神的に高齢期を明るく健康な生活をおくることを目的としている。
【図面の簡単な説明】
【０００１０】
【図１】  本考案を実施するための最良の第一の形態の斜視図である。
【図２】  本考案の実施するための断面図である。
【図３】  本考案の放香装置の断面図である。
【考案を実施するための形態】
【００１１】  以下、本考案の実施の形態を図４に基ずいて説明する。
前述の各種装置を介護ヘルパーが作動させておき介護レクリエーションバトンを高齢者女性Ａが高齢者男性Ｂに手渡す際バトン先端のＬＥＤ電球６は点滅しバトン中身の発泡ウレタン２は収縮と反発で空気が通気穴１４と芳香剤１１を通過して放香装置４が始動する。また後部の発音装置５も稼働している。このように並列した車いす使用の高齢者や椅子を利用した高齢者が次々バトン送りをする。
【図４】
本考案の実施形態にかかるバトン競技の実施図である。
【産業上の利用可能性】
【００１２】  本考案は老人ホーム  デイサービス等の介護福祉機関で利用される。
【符号の説明】
【００１３】１  合成樹脂製薄膜
２  発泡ウレタン樹脂
３  発光装置
４  放香装置
５  発音装置
６  ＬＥＤ電球
７  リード線
８  スイツチ
９  電池
１０  発音体スイツチ
１１  芳香剤
１２  箱状基礎板
１３  開口部
１４  通気穴
【図１】
0003213063.tif 000003
【図２】
0003213063.tif 000004
【図３】
0003213063.tif 000005
【図４】
0003213063.tif 000006
【手続補正書】
【提出日】平成29年8月25日(2017.8.25)
【手続補正１】
【補正対象書類名】明細書
【補正対象項目名】０００１０
【補正方法】変更
【補正の内容】
【０００１０】
【図１】本考案を実施するための最良の第一の形態の斜視図である。
【図２】本考案の実施するための断面図である。
【図３】本考案の芳香装置の断面図である。
【図４】本考案の実施形態にかかるバトン競技の実施図である。
【手続補正２】
【補正対象書類名】明細書
【補正対象項目名】００１１
【補正方法】変更
【補正の内容】
【００１１】  本考案の実施の形態を図４に基づいて説明する。
前述の各種装置を介護ヘルパーが作動させておき介護レクリエーションバトンを高齢者女性Ａが高齢者男性Ｂに手渡す際バトン先端のＬＥＤ電球６は点滅しバトン中身の発泡ウレタン２は収縮と反発で空気が通気穴１４と芳香剤１１を通過して放香装置４が始動する。また後部の発音装置５も稼働している。このように並列した車いす使用の高齢者や椅子を利用した高齢者が次々バトン送りをする。
(57)【要約】      （修正有）【課題】メガネを掛けることによる痛みを少なくする耳あてパッドを提供する。【解決手段】テンプルの先セルよりひと回り大きい、４層（布・クッションの役目を果すキルト芯・布・布）から成る平らな耳あてパッド３であり、後半の布・布の間に先セル挿入口を設け、又内部に細いゴムを渡す。それにより先セルが固定され、装着しやすくなる。【選択図】図２
0003213064.tif 000002
【実用新案登録請求の範囲】
【請求項１】
メガネのテンプルに取り付けられる耳あてパッドであり、前記耳あてパッドはテンプルの先セルよりひと回り大きい４層（布・クッションの役目を果すキルト芯・布・布）から成る平らな物を作り、後半の布・布の間は先セル挿入口を設け、又内部に細いゴムを渡し、それにより前記先セルが固定される構造を備えた耳あてパッド。
【考案の詳細な説明】
【技術分野】
【０００１】本考案はめがねのテンプルに取り付けられる、装着可能でクッション性のある布製小物に関するものである。
【背景技術】
【０００２】めがねを長時間装着していると、テンプル部分が耳の近くを圧迫するために痛みを感じている人がいる。
それを緩和するために、特許文献１と特許文献２のような、柔らかい材質を用い、且つ耳の裏の接触部分をできるだけ小さくするようなものである。
【先行技術文献】
【特許文献】
【０００３】
【特許文献１】特開２００４−０９４１８０
【特許文献２】実用新案登録番号第３０２９９７９公報
【考案の概要】
【考案が解決しようとする課題】
【０００４】眼鏡をかけることにより、耳付近にテンプルの圧力がかかり、人によってはそのことで苦痛を感じる人もいる。
【課題を解決するための手段】テンプルの先セルよりひと回り大きい、４層（布・クッションの役目を果すキルト芯・布・布）からなる平たい物を作り、後半の布・布の間は先セル挿入口を設け、又内部に細いゴムを渡し、それにより先セルが固定され、装着しやすくなる。
【考案の効果】
【０００５】圧力の分散と吸収により、痛みを軽減できる。
【図面の簡単な説明】
【０００６】
【図１】めがねに本考案である耳あてパッドを取り付けた状態を示す。
【図２】本考案である耳あてパッドの拡大図を示す。
【図３】本考案である耳あてパッドの構成部品を示す
【図４】本考案である耳あてパッドの他の実施例を示す
【考案を実施するための形態】
【０００７】図１はテンプル（１）とレンズ（２）を備えためがねに、本考案である耳あてパッド（３）を取り付けた状態を示す。図２に本考案である耳あてパッドの拡大図を示すがテンプル（１）に耳あてパッド（３）を取り付けた状態である。
【０００８】図３は本考案である耳あてパッドの構成部品を示すものであり、内側布（４）、キルト芯（５）、ゴム（７）付カバー布（６）、外側布（８）を重ね、周辺部分を縫合（９）することによって完成する。なお縫合後の周辺部をバイアステープによって覆ってもよい。
【０００９】図４は本考案である耳あてパッドの他の実施例を示すものである。テンプル挿入口にゴム（１０）を取り付け、外側布（１１）を先端部のみとした。
【符号の説明】
【００１０】１．テンプル
２．レンズ
３．耳あてパッド
４．内側布
５．キルト芯
６．カバー布
７．ゴム
８．外側布
９．縫合ライン
１０．ゴム
１１．外側布
【図１】
0003213064.tif 000003
【図２】
0003213064.tif 000004
【図３】
0003213064.tif 000005
【図４】
0003213064.tif 000006
(57)【要約】      （修正有）【課題】人体を持ち上げやすく移動しやすく使用でき、介護人の体の負担を少なくできるズボンを提供する。【解決手段】ズボン本体１１の尻回りに人体をすくい上げるような形に布地１２を整形し、上部左右両方に手掛けになるようその布地に一線の穴を明け手掛け１３を設ける。【選択図】図１
0003213069.tif 000002
【実用新案登録請求の範囲】
【請求項１】
ズボン本体内尻回りに、人体をすくい上げる様な形に布地を整形し上部左右両方に手掛けになるよう一線の穴を明け、手掛けを設ける人体を移動の時人体を持ち上げやすく使用することを特徴とするズボン。
【考案の詳細な説明】
【技術分野】
【０００１】  本考案は、人体不自由な人を介護するためのズボンである。人体を持ち上げる時人体には手掛けない。そのためズボン尻回りにすくい上げやすくベルトの様に布地を整形、又上部に手掛け一線の穴を明け下向きにポケットを設ける人体を持ち上げ可能にするズボン。
【背景技術】
【０００２】  現在のズボンは強度デザイン伸び縮みと有り、不自由は見当たらない。
【考案の概要】
【考案が解決しようとする課題】
【０００３】  本考案は、人体の不自由な人を移動する時、人体を持ち上げるために使用する装備を付けたズボンである。
【課題を解決するための手段】
【０００４】  前記目的を達成して課題を解決するため本考案に係るズボンは、ズボンとして使用又外回りは、何ら変わりはないが本考案は尻回りに強度の布地を設け上部に下向きポケットの様な形を両方に設け、手掛けとし人体移動の時の役割を果たす。【０００５】  現在使用のズボンであれば暮らしの中、又介護施設にても何ら不便は見当たらないけれど、人体を車椅子又はベッドなどに移動する時、人体を持ち上げる時介護の人の腰に大きな負担がかかる考案は、介護人の負担を少なくするための装備である。
【考案の効果】
【０００６】  本考案は、介護する人の体の負担を少なくするための装備で、体の不自由な方のトイレなど、車椅子移動時に体の不自由な方を抱きかかえ上げて移動しなければならないため生身の体は重量があり大変です。そんな時ズボン上部に手掛けがあり両方の手掛けにより持ち上げることが出来るのは、介護人の体の負担を少なくすることを特徴とするズボンである。
【図面の簡単な説明】
【０００７】
【図１】本考案に係るズボンの、一例を示す斜視図である。
【考案を実施するための形態】
【０００８】  以下の図面に基づき本考案の実施例を説明する。図１１は、本発明に係るズボンの一例を示すものである同図に示す様に、ズボン本体１１の腰回りに強度な布１２を別に付け、上部両方に手掛け用下向きポケット１３を設け、その１３ポケットに手を掛け人体を持ち上げる。以上人体を抱きかかえ持ち上げやすくするための１２布地であり、１３取手である。介護人の体の負担を少なくするための１２・１３である。
【符号の説明】
【０００９】１１  本体
１２  すくい上げ式布地
１３  下向きポケット手掛け
【図１】
0003213069.tif 000003